(57)【要約】【課題】ホテルのクローゼットや小規模マンション等における薄くて狭い小スペース部分に設置できるように工夫した。【解決手段】前面に開口部１ａを有する冷蔵庫本体１と、開口部１ａを開閉可能にするため冷蔵庫本体１に取り付けられた開閉蓋２と、冷蔵庫本体１内側に形成された冷蔵室１ｂを冷却するための冷却ユニット３とを備え、冷蔵庫本体１内に、水平方向に対して傾斜する傾斜面１ｃが設けられており、冷却ユニット３に設けられた冷却フィン３１が、傾斜面１ｃに沿って斜めに配設されている。【選択図】図１
0003117766.tif 000002
【実用新案登録請求の範囲】
【請求項１】
前面に開口部（１ａ）を有する冷蔵庫本体（１）と、前記開口部（１ａ）を開閉可能にするため前記冷蔵庫本体（１）に取り付けられた開閉蓋（２）と、前記冷蔵庫本体（１）内側に形成された冷蔵室（１ｂ）を冷却するための冷却ユニット（３）とを備え、前記冷蔵庫本体（１）内に、水平方向に対して傾斜する傾斜面（１ｃ）が設けられており、前記冷却ユニット（３）に設けられた冷却フィン（３１）が、前記傾斜面（１ｃ）に沿って斜めに配設されていることを特徴とする小形冷蔵庫。
【請求項２】
前記冷却ユニット（３）が放熱フィン（３２）を備えており、この放熱フィン（３２）と前記放熱フィン（３２）を排熱するためのファン（３３）とが、前記冷蔵庫本体（１）の上部に設けられ、前記ファン（３３）による吸気が、前記冷蔵庫本体（１）の背面に設けられた外気取入ダクト（４）を通じるよう構成されていることを特徴とする請求項１に記載の小形冷蔵庫。
【請求項３】
前記冷却フィン（３１）が、親水性表面処理されていることを特徴とする請求項１又は２に記載の小形冷蔵庫。
【請求項４】
前記外気取入ダクト（４）を構成する一部が、前記冷蔵庫本体が配設される垂直壁面（４４）であることを特徴とする請求項１乃至３のいずれか１項に記載の小形冷蔵庫。
【請求項５】
前記冷却ユニット（３）が、ペルチェ冷却素子（３０）を備えていることを特徴とする請求項１乃至４のいずれか１項に記載の小形冷蔵庫。
【請求項６】
前記冷却ユニット（３）が、前記ペルチェ冷却素子（３０）の放熱側に連結されたヒートパイプ（３６）を備えていることを特徴とする請求項５に記載の小形冷蔵庫。
【請求項７】
前記冷蔵庫本体（１）内の冷却フィン（３１）の結露水を吸収するための親水性多孔質体（５）を備え、この親水性多孔質体（５）に吸収された水分が、前記ファン（３３）の空気流によって蒸発するよう構成したことを特徴とする請求項１乃至６のいずれか１項に記載の小形冷蔵庫。
【考案の詳細な説明】
【技術分野】
【０００１】
本考案は、ホテルのクローゼットや小規模マンション（ワンルームマンション）等の小スペース部分に設置される小形冷蔵庫に関する。
【背景技術】
【０００２】
従来の冷蔵庫は、コンプレッサーを用いて冷媒を循環させる冷凍サイクルが一般的である。この冷蔵庫は、コンプレッサーやコンデンサー等の設備を要するので、重量や容積が嵩み又運転音が大きい。そのため近年では、冷蔵庫の小形化、静音化するために、ペルチェ効果を有する熱電素子が冷蔵庫に用いられている。これにより、従来に比べて小形化、静音化した冷蔵庫が提供されている。又今迄の冷蔵庫は、冷蔵庫本体の厚さ奥行についてあまり考慮されておらず、ホテルの部屋のクローゼットや小規模マンション等における床面積が限定された部分には設置できないことがあった。
【考案の開示】
【考案が解決しようとする課題】
【０００３】
そこで、本考案が解決しようとする課題は、ホテルの部屋のクローゼットや小規模マンション等における小スペース部分に設置できるように工夫した小形冷蔵庫を提供することにある。
【課題を解決するための手段】
【０００４】
前記した課題を解決するため、本考案に係る小形冷蔵庫は、前面に開口部を有する冷蔵庫本体と、開口部を開閉可能にするため冷蔵庫本体に取り付けられた開閉蓋と、冷蔵庫本体内側に形成された冷蔵室を冷却するための冷却ユニットとを備え、冷蔵庫本体内に、水平方向に対して傾斜する傾斜面が設けられており、冷却ユニットに設けられた冷却フィンが、傾斜面に沿って斜めに配設されている。
【０００５】
好ましくは、前記冷却ユニットが放熱フィンを備えており、この放熱フィンと放熱フィンを排熱するためのファンとが、冷蔵庫本体の上部に設けられ、ファンによる吸気が、冷蔵庫本体の背面に設けられた外気取入ダクトを通じるよう構成されている。
【０００６】
更に好ましくは、前記冷却フィンが、親水性表面処理されている。
【０００７】
又、前記外気取入ダクトを構成する一部が、冷蔵庫本体の背面側に配される垂直壁面であることが好ましい。
【０００８】
前記冷却ユニットが、ペルチェ冷却素子を備えることもできる。又、この冷却ユニットが、ペルチェ冷却素子の放熱側に連結されたヒートパイプを備えることもできる。
【０００９】
好ましくは、前記冷蔵庫本体内の冷却フィンの結露水を吸収するための親水性多孔質体を備え、この親水性多孔質体に吸収された水分が、ファンの空気流によって蒸発するよう構成した。
【考案の効果】
【００１０】
本考案に係る小形冷蔵庫は、前記したように構成されており、冷蔵庫本体の内側に形成された冷蔵室に、冷却フィンが傾斜面に沿って斜めに配設されているので、冷却フィンの冷却面積を、水平状態で配設するよりも大きくすることができる。これにより、冷蔵庫の厚みを従来より薄くしても、冷蔵庫の冷却性能を劣らないようにできる。更に、冷蔵庫の背面の壁に冷蔵庫本体を密着できる構成になっており、小スペースでも設置することができる。
【考案を実施するための最良の形態】
【００１１】
以下、添付図面に基づいて、本考案に係る小形冷蔵庫の一実施例について詳細に説明する。
【第一実施例】
【００１２】
先ず、小形冷蔵庫の第一実施例について説明する。図１は、本考案に係る小形冷蔵庫を示し、（ａ）は側断面図、（ｂ）は開閉蓋を省略した状態の正面図である。図２は、冷却ユニットを示す正面図である。図３は、外気取入ダクトを説明するための図であって、（ａ）は斜視図、（ｂ）は平面図である。図４は、親水性多孔質体を説明するための図であって、（ａ）は側面図、（ｂ）は斜視図である。
【００１３】
図１の如く、小形冷蔵庫は、断熱部材で形成された冷蔵庫本体１を備えている。冷蔵庫本体１は、前面に開口部１ａを有している。冷蔵庫本体１は、内側の空間によって冷蔵室１ｂが形成されている。冷蔵室１ｂは、ペットボトル等の飲料容器等を収納して、冷却するためのものである。
【００１４】
冷蔵庫本体１は、前面の開口部１ａを開閉するための開閉蓋２が取り付けられている。開閉蓋２は、冷蔵庫本体１の下部に設けられた開閉軸２ａによって、回転自在に支持されている。これにより、図１（ａ）の如く、開閉蓋２は、前後方向に傾斜して、開口部１ａを開閉する。開閉軸２ａは、所定の角度で開閉蓋２を停止することができるよう、多段式のストッパーが内臓されている。又、開閉軸２ａを冷蔵庫本体１の側部に設けることにより、開閉蓋２が、左右方向に開閉する方式とすることもできる。
【００１５】
開閉蓋２は、飲料容器を収納して保持するための容器保持部２０を内側に備えている。開閉蓋２は、冷蔵室１ｂの冷気を遮蔽等するためのパッキン部材２１が、上下及び左右部に設けられている。そして、開閉蓋２の前面には、小形冷蔵庫を設置する場所に合わせて木目調等の化粧パネル２２が設けられている。
【００１６】
図１（ａ）に示すように、冷蔵庫本体１は、冷蔵室１ｂの上面が、水平方向に対して傾斜する傾斜面１ｃを有している。冷蔵庫本体１の上部には、冷蔵室１ｂを冷却するための冷却ユニット３が設けられている。本実施例では、この冷却ユニット３は、通電することにより一方で吸熱、他方で発熱が生じるペルチェ効果を用いたものである。図２の如く、冷却ユニット３は、ペルチェ冷却素子３０を備えている。このペルチェ冷却素子３０の吸熱側に冷却フィン３１が、発熱側に放熱フィン３２が設けられている。
【００１７】
図１（ａ）の如く、冷却フィン３１は、冷蔵庫本体１内側の傾斜面１ｃに沿って斜めに配設されている。本実施例では、冷蔵庫本体１の開口部１ａが大きくなるように、傾斜面１ｃは、前方から後方へ向けて下降するように、水平方向に対して角度αが約３０度傾斜している。このように冷却フィン３１を傾斜することにより、水平状態で冷却フィン３１を配設するよりも、冷却フィン３１の冷却面積を大きくすることができる。従って、冷蔵庫本体１の厚さｔを従来よりも薄くしても、冷蔵庫の冷却性能が低下しない。
【００１８】
放熱フィン３２は、冷蔵庫本体１の上部に設けられている。放熱フィン３２の上部に、放熱フィン３２を排熱するためのファン３３が設けられている。図１（ｂ）に示すように、冷蔵庫本体１の上部に、冷却フィン３１を制御して冷蔵室１ｂの温度を設定したり、駆動を制御したりする制御部３４が設けられている。又、冷蔵室１ｂ内の飲料容器等を出し入れする際、冷却フィン３１に手が衝突しないように、冷却フィン３１の前面にガード部３５が設けられている。
【００１９】
ファン３３による吸気は、矢印方向Ｉのように流れ、冷蔵庫本体１の下部から、冷蔵庫本体１の背面に設けられた外気取入ダクト４を通じ、放熱フィン３２を排熱して冷蔵庫本体１の上方へ流れる。図３に示すように、冷蔵庫本体１の背面に沿って、垂直面の背面枠体４０が取り付けられている。背面枠体４０は、Ｌ字状に形成されている。背面枠体４０は、上端に水平面の天板部４２が設けられている。背面板部４１の上部に排熱用孔部４０ａが設けられている。天板部４２には、複数の排熱用スリット４０ｂが設けられている。背面枠体４０は、背面側の両側部にＬ部材の一対の側板部４３が設けられている。
【００２０】
そして、この側板部４３を、冷蔵庫が配設される垂直壁面４４に当接する。これにより、図３（ｂ）の如く、背面枠体４０の背面板部４１及び側板部４３並びに垂直壁面４４が、内側にファン３３の吸気流路４ａを有する外気取入ダクト４を構成する。これにより、冷蔵庫の背面の壁に冷蔵庫本体を密着でき、奥行きの狭い小スペースでも設置することができる。尚、垂直壁面４４の代わりに金属製の垂直板等を用いたり、側板部４３の代わりに垂直壁面を用いても、外気取入ダクト４を構成することができる。そして、ファン３３の吸気が、外気取入ダクト４から排熱用孔部４０ａを通じ、放熱フィン３２を排熱して排熱用スリット４０ｂから外部へ送られる。
【００２１】
図１（ｂ）の如く、冷蔵庫本体１の冷蔵室１ｂに、冷却フィン３１に付着した結露水を受けるトレイ５０が設けられている。前記したように、冷却フィン３１は傾斜して配設されているので、冷却フィン３１に付着した結露水が、これに沿って降下してトレイ５０に落下するようになっている。そして、結露水が流れやすく付着し難いように、冷却フィン３１は、アルマイト処理等の親水性表面処理されている。
【００２２】
図４の如く、トレイ５０は、冷蔵庫本体１の背面側に設けられたドレン５１に接続しており、結露水がトレイ５０からドレン５１を通じる。通路５１の下部には、受け容器５２が接続されている。そして、ドレン５１を通じた結露水が、受け容器５２に収容される。受け容器５２内には、波状の親水性多孔質焼結成形体等の親水性多孔質体５が配設されている。この親水性多孔質体５の微細孔に、受け容器５２内の結露水が毛細現象により吸い上げられる。そして、親水性多孔質体５に吸収された結露水が、ファン３３の吸気による風で蒸発するよう構成されている。
【第二実施例】
【００２３】
次に、小形冷蔵庫の第二実施例について説明する。図５は、第二実施例の小形冷蔵庫を示す側断面図である。本実施例の小形冷蔵庫は、前記した第一実施例と同一構成が多いので、異なる構成のみ詳細に説明する。冷却ユニット３は、ヒートパイプ３６を備えている。ヒートパイプ３６は、パイプ内に少量の作動液を真空封入し、内壁に毛細管構造（ウィック）を備えている。ヒートパイプ３６の一端は、ペルチェ冷却素子３０の発熱側に設けられた銅又はアルミニウム等の放熱板３７に連結されている。ヒートパイプ３６の他端は、放熱フィン３２に連結されている。放熱フィン３２の下部には、排熱用のファン３３が設けられている。
【００２４】
そして、放熱板３７が加熱され、ヒートパイプ３６の一端側が加熱されると、パイプ内の作動液が蒸発して熱を吸収し、蒸発した気体はパイプ中を拡散し、放熱フィン３２で潜熱を放出して凝縮する。これにより、本実施例の放熱フィン３２は、前記した実施例に比して小形化することができる。これにより、冷蔵庫を更に小形化できたり、冷蔵室１ｂの容量を大きくすることができる。
【００２５】
この小形冷蔵庫は、冷蔵庫本体１の背面側に、壁掛け用のフック等の掛止手段を設けることもできる。又、傾斜面１ｃの角度αは、１５〜４５度の範囲で配設できる。そして、傾斜面１ｃは、冷蔵庫本体１の前面から背面に向けて上昇するように配設することもできる。
【図面の簡単な説明】
【００２６】
【図１】本考案に係る小形冷蔵庫を示し、（ａ）は側断面図、（ｂ）は開閉蓋を省略した状態の正面図。
【図２】冷却ユニットを示す正面図。
【図３】外気取入ダクトを説明するための図で、（ａ）は斜視図、（ｂ）は平面図。
【図４】親水性多孔質体を説明するため図であって、（ａ）は側面図、（ｂ）は斜視図。
【図５】第二実施例の小形冷蔵庫を示す側断面図。
【符号の説明】
【００２７】
１  冷蔵庫本体
１ａ  開口部
１ｂ  冷蔵室
１ｃ  傾斜面
２  開閉蓋
３  冷却ユニット
３０  ペルチェ冷却素子
３１  冷却フィン
３２  放熱フィン
３３  ファン
３６  ヒートパイプ
４  外気取入ダクト
４４  垂直壁面
５  親水性多孔質体
【図１】
0003117766.tif 000003
【図２】
0003117766.tif 000004
【図３】
0003117766.tif 000005
【図４】
0003117766.tif 000006
【図５】
0003117766.tif 000007